(57)【要約】【課題】多数枚のスライドガラスの画像取得を短時間で行う。【解決手段】標本を搭載したスライド２を搭載して水平方向に移動させるステージ８と、ステージ８に設けられ、スライド２を複数枚並列に搭載可能な複数のスライドホルダ部とを有する顕微鏡装置４と、標本を搭載した複数枚のスライド２を収容している収容部３と、収容部３と顕微鏡装置４のスライドホルダ部との間でスライド２を移載する少なくとも一つの移載アーム５と、移載アーム５によって収容部３からいずれか空のスライドホルダ部に未観察のスライド２を移載し、スライド２上の標本の画像の取得中に、他のスライド２を移載アーム５によって搬送するよう顕微鏡装置４および移載アーム５を制御する制御部６とを備える顕微鏡システム１を提供する。【選択図】図１
2011102916.tif 000002
【特許請求の範囲】
【請求項１】
標本を搭載したスライドを搭載して水平方向に移動させるステージと、
該ステージに設けられ、前記スライドを複数枚並列に搭載可能な複数のスライドホルダ部と、を有する顕微鏡装置と、
標本を搭載した複数枚の前記スライドを収容している収容部と、
該収容部と前記顕微鏡装置の前記スライドホルダ部との間で前記スライドを移載する少なくとも一つの移載アームと、
該移載アームによって前記収容部からいずれか空の前記スライドホルダ部に未観察の前記スライドを移載し、前記スライド上の前記標本の画像の取得中に、他の前記スライドを前記移載アームによって搬送するよう前記顕微鏡装置および前記移載アームを制御する制御部と、を備える顕微鏡システム。
【請求項２】
前記標本の画像の取得は、前記顕微鏡装置による撮影である請求項１に記載の顕微鏡システム。
【請求項３】
前記制御部が、前記スライド上の前記標本の画像の取得中に、他の前記スライドを他の前記スライドホルダ部から前記移載アームに移載するよう前記顕微鏡装置および前記移載アームを制御する請求項１に記載の顕微鏡システム。
【請求項４】
前記ステージによる前記スライドの可動範囲に、前記スライドに対向可能に配置され、前記標本を拡大観察する拡大撮影光学系および前記標本の全体画像を取得するマクロ撮影光学系を備え、
前記標本の画像の取得は、前記マクロ撮影光学系による撮影である請求項３に記載の顕微鏡システム。
【請求項５】
前記制御部が、前記マクロ撮影光学系による前記標本の全体画像を取得した前記スライドを前記拡大撮影光学系に対向配置させ、該拡大撮影光学系による拡大観察済の前記スライドを搭載するスライドホルダ部とは異なるスライドホルダ部が前記マクロ撮影光学系に対向配置されるように前記ステージを制御する請求項４に記載の顕微鏡システム。
【請求項６】
前記制御部が、前記マクロ撮影光学系により取得した前記標本の全体画像を画像処理して、拡大観察すべき観察領域を特定し、特定された観察領域を拡大撮影するように前記ステージを制御する請求項４または請求項５に記載の顕微鏡システム。
【請求項７】
各前記スライドに該スライドの識別情報を含む読み取り可能な識別標識が設けられ、
該識別標識を読み取る標識読取り装置と、
前記識別標識と該識別標識が設けられたスライド上の標本の観察条件とを対応づけて記憶する記憶部とを備え、
前記制御部が、前記標識読取り装置により読み取られた識別標識に含まれる識別情報に対応する観察条件を前記記憶部から読み出して前記顕微鏡装置を制御する請求項４または請求項５に記載の顕微鏡システム。
【発明の詳細な説明】
【技術分野】
【０００１】
本発明は、顕微鏡システムに関するものである。
【背景技術】
【０００２】
従来、高倍率の対物レンズを使用した場合に、一度に観察できる観察範囲が標本のごく一部に限られるため、標本の画像を予め小区分に分割し、各小区分に対応する標本の部分の高解像度の画像を高倍率の対物レンズを使用して撮影し、取得された小区分に対応する標本部分の画像を貼り合わせることにより、標本の全体画像を構築する、いわゆるバーチャルスライド顕微鏡システムが知られている（例えば、特許文献１参照。）。
【０００３】
このようなバーチャルスライド顕微鏡システムにおいては、１枚のスライドガラスに搭載されている標本の全体画像を取得するのに時間を要するため、作業者が画像の取得作業を行うのではなく、顕微鏡システムにおいて自動的に画像を取得することが行われる。そして、このような自動画像取得においては、数百枚のスライドガラスを準備しておいて、例えば、夜間に無人で、スライドガラスを自動的に交換しながら画像取得を順次行わせるようになっている（例えば、特許文献２参照。）。
【０００４】
この特許文献２の顕微鏡システムにおいては、トレイに収容されているスライドガラスを１枚ずつ取り出して高視野画像撮影用ステージに配置して標本の全体画像を撮影した後、撮影が終了したスライドガラスを顕微鏡撮影するようになっている。
【先行技術文献】
【特許文献】
【０００５】
【特許文献１】特開２００８−１９１４２７号公報
【特許文献２】特開２００３−２４８１７６号公報
【発明の概要】
【発明が解決しようとする課題】
【０００６】
しかしながら、特許文献２に開示されている顕微鏡システムでは、単一のトレイから取り出して、全体画像の撮影および顕微鏡画像の撮影を終了したスライドガラスを最初のトレイに戻す場合に、トレイと高視野画像撮影用ステージとの間のスライドガラスの往復移載方法については記載されていない。
【０００７】
一般には、トレイから高視野画像撮影用ステージにスライドガラスを供給するロボットアームのような移載手段は、高視野画像撮影用ステージに配置されている撮影済みのスライドガラスを取り出してトレイの収容部に戻した後、他の収容部から未撮影のスライドガラスを取り出して高視野画像撮影用ステージまで搬送し、全体画像の撮影を行うことになる。このため、撮影済みのスライドガラスの搬送および未撮影のスライドガラスの搬送中においては、全体画像の撮影を行うことができず、待機時間が発生する。そして、上述したように数百枚のスライドガラスを交換しながら順次画像取得を行う際には、この待機時間が積み重なって、全てのスライドガラスについて撮影を終了するまでに多大な時間を要してしまうという不都合がある。
【０００８】
本発明は上述した事情に鑑みてなされたものであって、多数枚のスライドガラスの画像取得を短時間で行うことを可能とする顕微鏡システムを提供することを目的としている。
【課題を解決するための手段】
【０００９】
上記目的を達成するために、本発明は以下の手段を提供する。
本発明に係る顕微鏡システムは、標本を搭載したスライドを搭載して水平方向に移動させるステージと、該ステージに設けられ、前記スライドを複数枚並列に搭載可能な複数のスライドホルダ部と、を有する顕微鏡装置と、標本を搭載した複数枚の前記スライドを収容している収容部と、該収容部と前記顕微鏡装置の前記スライドホルダ部との間で前記スライドを移載する少なくとも一つの移載アームと、該移載アームによって前記収容部からいずれか空の前記スライドホルダ部に未観察の前記スライドを移載し、前記スライド上の前記標本の画像の取得中に、他の前記スライドを前記移載アームによって搬送するよう前記顕微鏡装置および前記移載アームを制御する制御部と、を備える。
また、上記顕微鏡システムにおいては、前記標本の画像の取得は、前記顕微鏡装置による撮影であってもよい。
【００１０】
これらの顕微鏡システムによれば、未観察のスライドを移載アームによって収容部からいずれか空のスライドホルダ部に移載し、スライド上の標本の画像の取得中に、他のスライドを移載アームによって搬送するように構成されているため、多数枚のスライドガラスの画像取得を短時間で行うことができる。
【００１１】
さらに、上記顕微鏡システムにおいては、前記制御部が、前記スライド上の前記標本の画像の取得中に、他の前記スライドを他の前記スライドホルダ部から前記移載アームに移載するよう前記顕微鏡装置および前記移載アームを制御してもよい。
【００１２】
この顕微鏡システムによれば、未観察のスライドを移載アームによって収容部からいずれか空のスライドホルダ部に移載し、スライド上の標本の画像の取得中に、他のスライドホルダ部から他のスライドを移載アームに移載するように構成されているため、収容部とスライドホルダ部との間の移載アームによるスライドの往復移動にかかる時間を全てのスライドについて積み重ねずに済み、多数枚のスライドガラスの画像取得を短時間で行うことができる。
【００１３】
また、上記顕微鏡システムにおいては、前記ステージによる前記スライドの可動範囲に、前記スライドに対向可能に配置され、前記標本を拡大観察する拡大撮影光学系および前記標本の全体画像を取得するマクロ撮影光学系を備え、前記標本の画像の取得は、前記マクロ撮影光学系による撮影であってもよい。
【００１４】
この顕微鏡システムによれば、複数枚のスライドを収容している収容部から、移載アームが未観察のいずれかのスライドを取り出して、ステージに設けられた空のスライドホルダ部に移載し、マクロ撮影光学系を作動させて当該スライドに搭載された標本の全体画像を取得する。そして、全体画像が取得されたスライドは、ステージの作動によって拡大撮影光学系へと送られて、標本の拡大撮影が行われた後に、移載アームによって収容部に戻される。
【００１５】
スライドホルダ部は複数設けられているので、拡大観察済のスライドを回収する前に、未観察の他のスライドを他の空のスライドホルダ部に移載することができる。すなわち、移載アームは、空の状態で拡大観察済のスライドを回収に行く必要が無く、他の未観察のスライドをスライドホルダ部に移載して空となった状態で回収することができる。
【００１６】
また、拡大観察済のスライドの移載アームへの移載はマクロ撮影光学系による他のスライド上の標本の全体画像の取得中に行われる。全体画像の取得中にはステージが停止しているので、移載アームによるスライドホルダ部からの取り出し作業を容易に行うことができる。そして、移載アームに回収した拡大観察済のスライドを収容部に戻す動作と、未観察の他のスライドを収容部から取り出して空のスライドホルダ部の近傍まで移動させる動作とは、他の標本の全体画像の撮影、マクロ撮影光学系と拡大撮影光学系との間の往復移動およびマクロ撮影光学系における拡大画像の撮影の間に行っておくことができる。
【００１７】
すなわち、この顕微鏡システムによれば、収容部とスライドホルダ部との間の移載アームによるスライドの往復移動にかかる時間を全てのスライドについて積み重ねずに済むので、多数枚のスライドガラスの画像取得を短時間で行うことができる。
【００１８】
上記発明においては、前記制御部が、前記マクロ撮影光学系による前記標本の全体画像を取得した前記スライドを前記拡大撮影光学系に対向配置させ、該拡大撮影光学系による拡大観察済の前記スライドを搭載するスライドホルダ部とは異なるスライドホルダ部が前記マクロ撮影光学系に対向配置されるように前記ステージを制御することが好ましい。
【００１９】
このようにすることで、未観察のスライドを収容部から取り出した移載アームは、マクロ撮影光学系に対向配置されたスライドホルダ部に未観察のスライドを移載することができ、移載された直後に全体画像の取得を行うことができる。すなわち、未観察のスライドのスライドホルダ部への移載後にマクロ撮影光学系へのステージによる移動を行わずに済み、その分の移動時間を短縮することができる。したがって、多数枚のスライドガラスの画像取得をさらに短時間で行うことができる。
【００２０】
また、上記発明においては、前記制御部が、前記マクロ撮影光学系により取得した前記標本の全体画像を画像処理して、拡大観察すべき観察領域を特定し、特定された観察領域を拡大撮影するように前記ステージを制御してもよい。
このようにすることで、拡大撮影光学系による拡大画像の取得数を特定された観察領域内に限定することができ、所要時間を短縮することができる。
【００２１】
また、上記発明においては、各前記スライドに該スライドの識別情報を含む読み取り可能な識別標識が設けられ、該識別標識を読み取る標識読取り装置と、前記識別標識と該識別標識が設けられたスライド上の標本の観察条件とを対応づけて記憶する記憶部とを備え、前記制御部が、前記標識読取り装置により読み取られた識別標識に含まれる識別情報に対応する観察条件を前記記憶部から読み出して前記顕微鏡装置を制御することとしてもよい。
【００２２】
このようにすることで、スライドに搭載された標本の観察に先立って、制御部が、標識読み取り装置によって読み取られた識別標識に含まれる識別情報に対応する観察条件を読み出すので、標本毎に観察条件を判定することなく、短時間で標本の観察に適した観察条件で標本の拡大画像を取得することができる。
【発明の効果】
【００２３】
本発明によれば、多数枚のスライドガラスの画像取得を短時間で行うことができるという効果を奏する。
【図面の簡単な説明】
【００２４】
【図１】本発明の一実施形態に係る顕微鏡システムを示す全体構成図である。
【図２】図１の顕微鏡システムに備えられる顕微鏡装置を示す正面図である。
【図３】図１の顕微鏡システムにおける移載アームの動作を説明するフローチャートである。
【図４】図１の顕微鏡システムにおける顕微鏡装置の動作を説明するフローチャートである。
【図５】図１の顕微鏡システムにおける制御部の動作を説明するフローチャートである。
【図６】図１の顕微鏡システムの顕微鏡装置に備えられたスライドホルダ部におけるスライドの供給および取り出しを説明する図であり、（ａ）未観察のスライドの供給時、（ｂ）スライドの観察終了時、（ｃ）観察済のスライドの取り出し時のスライドホルダとマクロ撮影光学系との位置関係を示している。
【発明を実施するための形態】
【００２５】
本発明の一実施形態に係る顕微鏡システム１について図面を参照して以下に説明する。
本実施形態に係る顕微鏡システム１は、図１に示されるように、観察しようとする標本Ａ（図６参照。）を搭載した多数枚のスライド２を収容するラック（収容部）３と、該ラック３に収容されているスライド２上の標本Ａの全体画像および拡大画像を取得する顕微鏡装置４と、ラック３と顕微鏡装置４との間でスライド２を搬送して移載する移載アーム５と、これらを制御する制御部６とを備えている。
【００２６】
スライド２は、透明な平板材料（例えば、ガラス）により構成され、その表面に標本Ａが搭載されるとともに、各標本Ａを識別するための識別情報を含むバーコード（識別標識）７が貼付されている。バーコード７には、スライド２に搭載されている標本Ａを識別するための識別情報が含まれている。
ラック３は、例えば、上下方向（鉛直方向）および水平方向に２次元配列された複数の収容室を備え、各収容室に、１枚ずつ、スライド２の端部を突出させた状態で収容するようになっている。
【００２７】
顕微鏡装置４は、図２に示されるように、少なくとも水平方向に２次元的に移動可能なステージ８と、ステージ８に搭載されたスライド２上の標本Ａの全体画像を取得するマクロ撮影光学系９と、標本Ａの拡大画像を取得する拡大撮影光学系１０と、スライド２に貼付されているバーコード７を読み取るためのバーコードリーダ１１とを備えている。このマクロ撮影光学系９は位置が固定されている。また、バーコードリーダ１１は、例えば、マクロ撮影光学系９によってスライド２上の標本Ａの全体画像が撮影される際に、当該スライド２に貼付されているバーコード７を読み取ることができる位置に固定されている。
【００２８】
ステージ８には、図６に示されるように、２枚のスライド２を並列して固定することが可能なスライドホルダ１２が取り付けられている。このスライドホルダ１２には、第１のスライドホルダ部１２ｂと第２のスライドホルダ部１２ｃとが２カ所に設けられている。各スライドホルダ部１２ｂ，１２ｃは、上下方向（鉛直方向）に貫通する貫通部１２ａを有するとともに、それぞれ１枚のスライド２を該スライド２の周縁部分によって水平状態に保持するようになっている。
【００２９】
ステージ８は、マクロ撮影光学系９および拡大撮影光学系１０のいずれによっても標本Ａ全体が観察可能となる位置までスライド２を水平移動させることができるような水平方向の可動範囲を有している。
マクロ撮影光学系９および拡大撮影光学系１０は、それぞれ光軸Ｃ１，Ｃ２を鉛直方向に配置している。
【００３０】
マクロ撮影光学系９は、ステージ８の下方に配置された照明光学系９ａと、ステージ８の上方に配置された対物レンズ９ｂおよびマクロ撮像素子９ｃとを備えている。
拡大撮影光学系１０は、ステージ８の上方から照明光を照射する落射照明光学系１０Ａと、ステージ８の下方から照明光を照射する透過照明光学系１０Ｂと、ステージ８の上方に配置された対物レンズ１０ａおよびミクロ撮像素子１０ｂとを備えている。
【００３１】
図中、符号１０ｃ，１０ｄは光源、符号１０ｅはミラー、符号１０ｆはダイクロイックミラー、符号１０ｇは接眼光学系である。図２において、レンズやフィルタ等の光学素子については表示を省略している。
【００３２】
移載アーム５は、１枚のスライド２を解放可能に把持する把持部５ａと、該把持部５ａを３次元的に移動可能な移動機構５ｂとを備えている。移動機構５ｂを作動させ、ラック３に収容されているスライド２の端部を把持部５ａによって把持し、移動機構５ｂを作動させてスライド２をステージ８上のスライドホルダ１２に設けられたスライドホルダ部１２ｂ，１２ｃまで搬送するようになっている。
【００３３】
制御部６は、スライド２の識別情報と観察条件とを対応づけて記憶する記憶部６ａを備えている。観察条件としては、落射観察または透過観察の観察方法、使用する励起光源の波長や強度、取得する蛍光の波長等が含まれている。
また、記憶部６ａは、マクロ撮影光学系９により取得された全体画像および拡大撮影光学系１０により取得された拡大画像を識別情報に対応づけて記憶するようになっている。
【００３４】
また、制御部６は、以下のように顕微鏡装置４および移載アーム５を制御するようになっている。
まず、移載アーム５に対しては、図３に示されるように、予め定められた順序でラック３から１枚ずつスライド２を取り出して（ステップＳ１）、スライドホルダ部１２ｂあるはスライドホルダ部１２ｃ（本実施形態ではスライドホルダ部１２ｂ）まで搬送する（ステップＳ２）ように移載アーム５に指示する。
また、移載アーム５に対して、ラック３から搬送されてきたスライド２をスライドホルダ部１２ｂに移載できる近傍位置まで搬送し、その場で待機させる（ステップＳ３）。
【００３５】
また、顕微鏡装置４に対しては、図４に示されるように、いずれか一方の空のスライドホルダ部１２ｂが、マクロ撮影光学系９の光軸Ｃ１上に配されるまでステージ８を移動する（ステップＳ１１）ように指示する。
そして、スライドホルダ部１２ｂがマクロ撮影光学系９の光軸Ｃ１上に配置された状態で、待機していた移載アーム５に対して把持部５ａが把持しているスライド２をマクロ撮影光学系９の光軸Ｃ１上に配置されているスライドホルダ部１２ｂに移載する（ステップＳ４）ように指示する。これにより、図６（ａ）に示すように、未観察のスライド２（図６（ａ）の実線で示したスライド２）は、マクロ撮影光学系９の下方位置で、スライドホルダ部１２ｂに保持される。
【００３６】
次に、制御部６は、図４に示されるように、スライド２が移載されたことを確認して（ステップＳ１２）、顕微鏡装置４のバーコードリーダ１１によるスライド２上のバーコード７の読み取り（ステップＳ１３）と、マクロ撮影光学系９によるスライド２上の標本Ａの全体画像の取得（ステップＳ１４）すなわちマクロ撮影とを行わせる。
【００３７】
これと同時に、制御部６は、図３に示されるように、他のスライドホルダ部１２ｃに観察済のスライド２があるか否かを確認し（ステップＳ５）、ある場合には、空の移載アーム５によって当該観察済のスライド２をスライドホルダ部１２ｃから取り出して（ステップＳ６）、ラック３に戻す（ステップＳ７）ように指示する。これにより、図６（ａ）に示すように、観察済のスライド２（図６（ａ）の２点鎖線で示したスライド２）がある場合は、他のスライドホルダ部１２ｃから取り出され、ラック３に戻される。他のスライドホルダ部１２ｃに観察済のスライド２が存在しない場合には、ラック３から次に観察すべきスライド２を取り出すように移載アーム５に指示する。そして、ラック３内の全てのスライド２の観察が終了したか否かを確認し（ステップＳ８）、終了するまで、ステップＳ１から繰り返す。
【００３８】
制御部６は、バーコード７が読み取られると、図５に示されるように、該バーコード７に含まれている識別情報に基づいて記憶部６ａ内の観察条件を検索し（ステップＳ２１）、顕微鏡装置４に設定を変更する（ステップＳ２２）ように指示する。
また、制御部６は、マクロ撮影光学系９により全体画像が取得されると、図４に示されるように、顕微鏡装置４に対して、スライド２をマクロ撮影光学系９の光軸Ｃ１上から拡大撮影光学系１０の光軸Ｃ２上に配置するようにステージ８を移動させる（ステップＳ１５）よう指示する。
【００３９】
これと同時に、制御部６は、全体画像が取得されたことを確認して（ステップＳ２３）、取得された全体画像を画像処理して拡大観察を行う領域および拡大画像の取得順序や取得枚数を設定する（ステップＳ２４）ようになっている。領域の設定は、例えば、標本Ａが生細胞を含むものである場合には、生細胞の存在する領域と存在しない領域とを判別し、存在する領域のみに観察領域を設定するようになっている。
【００４０】
観察領域等が設定されたことが確認され（ステップＳ１６）、スライド２が拡大撮影光学系１０の光軸Ｃ２上に配置されると、顕微鏡装置４は、設定された取得順序で設定された取得枚数の拡大画像を順次取得する（ステップＳ１７）。この顕微鏡装置４でのミクロ撮影中に、観察済のスライド２を移載アーム５によって搬送してラック３に戻すと共に、新たな未観察のスライド２をラック３から取り出す。
【００４１】
制御部６は、顕微鏡装置４が拡大画像を取得し終えると、全てのスライド２の観察が終了したか否かが判定され（ステップＳ１８）、終了していない場合には、ステージ８を作動させて、拡大画像を取得済のスライド２（観察済のスライド２）を移載アーム５による移載のための取り出し位置へと移動させ（ステップＳ１１）、上記ステップを繰り返す。この取り出し位置は、スライド２を搭載していない他の空のスライドホルダ部１２ｃが、マクロ撮影光学系９の光軸Ｃ１上に配される位置である。
【００４２】
このとき、拡大画像を取得済のスライド２は、マクロ撮影光学系９の光軸Ｃ１から外れた位置に配置されている。例えば、図６（ｂ）に示すように、拡大画像を取得済のスライド２（観察済のスライド２）は、スライドホルダ部１２ｂに保持され、マクロ撮影光学系９の下方位置から外れた位置に配置されている。
【００４３】
したがって、図６（ｃ）に示すように、新たな未観察のスライド２をラック３から取り出してマクロ撮影光学系９の近傍で待機している移載アーム５は、マクロ撮影光学系９の光軸Ｃ１上に配された空のスライドホルダ部１２ｃに未観察のスライド２を移載し、そのスライド２の全体画像の取得の間に、拡大画像を取得済のスライド２をスライドホルダ部１２ｂから取り出すことができる。
すなわち、本実施形態では、観察前のスライド２は、移載アーム５によって、常に一定位置から、マクロ撮影光学系９の光軸Ｃ１上に位置するスライドホルダ部１２ｂあるいは１２ｃに搬入している。そして、観察済のスライド２は、移載アーム５によって、マクロ撮影光学系９の光軸Ｃ１から外れたスライドホルダ部１２ｂあるいは１２ｃから搬出している。
【００４４】
このように、本実施形態に係る顕微鏡システム１によれば、２つのスライドホルダ部１２ｂ，１２ｃを設けることで、一方のスライドホルダ部１２ｂ（あるいは１２ｃ）に配置されたスライド２上の標本Ａの全体画像を取得中に、他方のスライドホルダ部１２ｃ（あるいは１２ｂ）に配置されている観察済のスライド２を移載アーム５によって回収することができる。したがって、移載アーム５によって単一のスライドホルダ部１２に配置されている観察済のスライド２を回収してラック３に戻してから、新たにラック３から未観察のスライド２を取り出して搬送しスライドホルダ部１２に移載する作業の所要時間を、全てのスライド２に対して積み重ねずに済み、大量のスライド２の観察を行う際に、大幅な時間の短縮を図ることができる。
【００４５】
また、本実施形態に係る顕微鏡システム１によれば、拡大撮影光学系１０において拡大画像の取得を終了した後の観察済のスライド２を配置したスライドホルダ部１２ｂ（あるいは１２ｃ）をマクロ撮影光学系９の光軸Ｃ１上に戻すのではなく、空のスライドホルダ部１２ｃ（あるいは１２ｂ）をマクロ撮影光学系９の光軸Ｃ１上に戻すので、待機していた移載アーム５は、マクロ撮影光学系９の光軸Ｃ１上に未観察のスライド２を配置することができ、その直後に全体画像の取得を行って、所要時間をさらに短縮することができる。
なお、本実施形態においては、ステージ８上に取り付けたスライドホルダ１２に２つのスライドホルダ部１２ｂ，１２ｃを設けることにしたが、これに代えて、３個以上のスライドホルダ部を設けることにしてもよい。
さらに、本実施の形態では、移載アーム５を一つとしたが、複数としても良い。
【符号の説明】
【００４６】
Ａ  標本
１  顕微鏡システム
２  スライド
３  ラック（収容部）
４  顕微鏡装置
５  移載アーム
６  制御部
７  バーコード（識別標識）
８  ステージ
９  マクロ撮影光学系
１０  拡大撮影光学系
１１  バーコードリーダ（標識読取り装置）
１２  スライドホルダ
【図１】
2011102916.tif 000003
【図２】
2011102916.tif 000004
【図３】
2011102916.tif 000005
【図４】
2011102916.tif 000006
【図５】
2011102916.tif 000007
【図６】
2011102916.tif 000008